(57)【要約】 【課題】  がいし連の取替時にがいし連に張力をかけたり弛めたりする際に、容易かつ正確に長さ調節する。【解決手段】  複数のがいし３００１・・・３００２・・・が列状に連結されたがいし連３００を取り替えるためのがいし連把持具１であって、がいし連３００の一端部を把持する上部がいし把持具２と、がいし連３００の他端部を把持する下部がいし把持具３と、がいし連３００と並行に延びて上部がいし把持具２と下部がいし把持具３とを連結し、がいし連３００の連結方向に変位可能な第１のターンバックル４と、がいし連３００を対称軸として、第１のターンバックル４と略線対称に配設され、上部がいし把持具２と下部がいし把持具３とを連結し、がいし連３００の連結方向に変位可能な第２のターンバックル５と、第１のターンバックル４と第２のターンバックル５とを同時に同方向に同量の変位をさせる駆動手段６と、を備える。【選択図】  図１
2014093873.tif 000002
【特許請求の範囲】
【請求項１】
複数のがいしが列状に連結されたがいし連を取り替えるためのがいし連把持具であって、
前記がいし連の一端部を把持する第１の把持手段と、
前記がいし連の他端部を把持する第２の把持手段と、
前記がいし連と並行に延びて前記第１の把持手段と前記第２の把持手段とを連結し、がいしの連結方向に変位可能な第１の変位手段と、
前記がいし連を対称軸として、前記第１の変位手段と略線対称に配設され、前記第１の把持手段と前記第２の把持手段とを連結し、がいしの連結方向に変位可能な第２の変位手段と、
前記第１の変位手段と前記第２の変位手段とを同時に同方向に同量の変位をさせる駆動手段と、
を備えることを特徴とするがいし連把持具。
【請求項２】
前記第１の変位手段および前記第２の変位手段は、ターンバックルで構成されている、
ことを特徴とする請求項１に記載のがいし連把持具。
【請求項３】
前記第１の変位手段は、ターンバックルで構成され、
前記第２の変位手段は、前記第１の変位手段の変位に伴って変位する、
ことを特徴とする請求項１に記載のがいし連把持具。
【発明の詳細な説明】
【技術分野】
【０００１】
この発明は、がいし連の取替時にがいし連に張力をかけたり弛めたりする際に、長さ調節が容易ながいし連把持具に関する。
【背景技術】
【０００２】
がいし連に取り付けられている懸垂がいしに、電気的、機械的な不具合が発見された場合は、そのがいし連を取り外して、正常ながいし連と取り替える必要がある。がいし連には、通常、長手方向に張力が作用しているので、取り替え時にはがいし連を弛める必要がある。そこで、がいし連の取り替えを容易に行うために、図５、図６に示すようながいし連把持具２００が知られている。がいし連把持具２００は、取り替えるがいし連３００の前後（一端側、例えば鉄塔側のがいし連３００１と、他端側、例えば電線側のがいし連３００２）に取り付けて、左右のターンバックル４、５を収縮して、その部分の張力を弛めて、がいし連３００を取り替えるものである。
【０００３】
また、２連耐張がいし装置において、１組のがいし連の全体を同時に取り外し、取り付けが可能な２連耐張がいし装置用がいし取替装置に関する技術が知られている（例えば、特許文献１参照。）。この２連耐張がいし装置用がいし取替装置は、ヨークに固定される接地側アタッチメントおよびライン側のアタッチメントと、このアタッチメントとの間を連結する伸縮自在なリンクロッドに、油圧駆動のピストン・シリンダからなる油圧伸縮装置とターンバックルとを直列に配置するものである。
【先行技術文献】
【特許文献】
【０００４】
【特許文献１】特開２０００−０５９９３６号公報
【発明の概要】
【発明が解決しようとする課題】
【０００５】
しかしながら、がいし連を取り替える際に使用するがいし連把持具２００においては、２本のターンバックル４、５を同量だけ変位させる必要があり、変位量の調整に手間と時間とを要していた。具体的には、ターンバックル４の軸部４１と、ターンバックル５の軸部５１を、レンチ２１０、２２０でそれぞれ回転させることによってターンバックル４、５が伸縮するようになっている。そして、ターンバックル４、５の長さをそれぞれ測定し、所定長となるように調節する必要がある。このとき、ターンバックル４、５の長さが均等でない場合には、がいし連３００に作用する張力が不均等になり、がいし連３００がねじれてしまうおそれがある。
【０００６】
そこで、この発明は、がいし連の取替時にがいし連に張力をかけたり弛めたりする際に、長さ調節が容易かつ正確ながいし連把持具を提供することを目的としている。
【課題を解決するための手段】
【０００７】
前記の課題を解決するために、請求項１の発明は、複数のがいしが列状に連結されたがいし連を取り替えるためのがいし連把持具であって、前記がいし連の一端部を把持する第１の把持手段と、前記がいし連の他端部を把持する第２の把持手段と、前記がいし連と並行に延びて前記第１の把持手段と前記第２の把持手段とを連結し、がいしの連結方向に変位可能な第１の変位手段と、前記がいし連を対称軸として、前記第１の変位手段と略線対称に配設され、前記第１の把持手段と前記第２の把持手段とを連結し、がいしの連結方向に変位可能な第２の変位手段と、前記第１の変位手段と前記第２の変位手段とを同時に同方向に同量の変位をさせる駆動手段と、を備えることを特徴とするがいし連把持具である。
【０００８】
この発明によれば、駆動手段によって第１の変位手段と第２の変位手段とを同時に同方向に同量の変位をさせることにより、第１の把持手段と第２の把持手段とを、がいし連の連結方向に変位させる。
【０００９】
請求項２の発明は、請求項１のがいし連把持具において、前記第１の変位手段および前記第２の変位手段は、ターンバックルで構成されている、ことを特徴とする。
【００１０】
請求項３の発明は、請求項１のがいし連把持具において、前記第１の変位手段は、ターンバックルで構成され、前記第２の変位手段は、前記第１の変位手段の変位に伴って変位する、ことを特徴とする。
【発明の効果】
【００１１】
請求項１に記載の発明によれば、駆動手段によって第１の変位手段と第２の変位手段とが同時に同方向に同量の変位をするので、がいし連に作用する張力を均等にすることができる。このため、がいし連に作用する張力が不均等になることによって、がいし連がねじれることを防止し、がいし連の取り替え作業に要する手間と時間とを削減することができる。例えば、第１の変位手段と第２の変位手段とをそれぞれ変位させて、変位量を調節する必要がなくなり、誰でも容易かつ適切にがいし連の取り替え作業を行うことが可能になる。
【００１２】
また、駆動手段によって第１の変位手段と第２の変位手段とを変位させることができるので、容易にがいし連に作用する張力を調節することができる。このため、がいし連の取り付け、取り外しが容易になる。
【００１３】
さらに、駆動手段によって第１の変位手段と第２の変位手段とを変位させることができるので、第１の変位手段と第２の変位手段とをそれぞれ変位させる必要がなくなり、無理な姿勢での作業を減らすことができる。このため、高所作業における安全上の不安を軽減し、作業能率を向上させることが可能である。
【００１４】
請求項２に記載の発明によれば、第１の変位手段および第２の変位手段は、ターンバックルで構成されているので、容易にがいし連に作用する張力を弛めることができる。また、がいし連把持具は簡易な構成となるので、コストを低減できるとともに、取扱いが容易となる。
【００１５】
請求項３に記載の発明によれば、第１の変位手段は、ターンバックルで構成され、第２の変位手段は、第１の変位手段の変位に伴って変位するので、第１の変位手段を変位させるだけで、第２の変位手段を変位させることができる。このように、がいし連の取り替え作業が著しく容易になる。
【図面の簡単な説明】
【００１６】
【図１】この発明の実施の形態１に係るがいし連把持具をがいしに取り付けた状態を示す正面図である。
【図２】図１のがいし連把持具の平面図である。
【図３】図１のがいし連把持具の第１の変位手段と駆動手段の拡大平面図である。
【図４】この発明の実施の形態２に係るがいし連把持具をがいしに取り付けた状態を示す正面図である。
【図５】従来のがいし連把持具をがいしに取り付けた状態を示す正面図である。
【図６】図５のがいし連把持具の平面図である。
【発明を実施するための形態】
【００１７】
以下、この発明を図示の実施の形態に基づいて説明する。
【００１８】
（実施の形態１）
図１ないし図３は、この発明の実施の形態１を示している。
【００１９】
図１は、がいし連把持具１をがいし連３００に取り付けた状態を示している。ここで、がいし連把持具１は、取り替えるがいし連３００の前後（一端部、例えば鉄塔側のがいし（上部がいし）３００１と、他端部、例えば電線側のがいし（下部がいし）３００２）に取り付けて、後述する左右のターンバックル４、５が収縮することにより張力を弛めて、がいし連３００を取り替えるものである。
【００２０】
がいし連把持具１は、主として、第１の把持手段としての上部がいし把持具２と、第２の把持手段としての下部がいし把持具３と、第１の変位手段としての第１のターンバックル４と、第２の変位手段としての第２のターンバックル５と、駆動手段６とを備えている。
【００２１】
上部がいし把持具２は、図１に示すように、がいしの一端側、この実施の形態においては上部がいし３００１の頭部３００１ａを把持するものである。上部がいし把持具２は、図２に示すように、主として、アーム２１、２２と、係止ロック２５とを備えている。アーム２１は、半リング状に形成されており、内周面には、頭部３００１ａの外周を挟んだ状態で把持可能な溝２１Ａが形成されている。アーム２２は、アーム２１と同様に、半リング状に形成されており、内周面には、頭部３００１ａの外周を把持可能な内径の溝２２Ａが形成されている。このアーム２１、２２は、軸部２３、２４を介して、相互に回動自在、開閉自在に配設されており、アーム２１、２２を開いた状態では、頭部３００１ａの外径よりも大きく開口して、頭部３００１ａが出し入れ自在となる。また、アーム２１、２２を閉じた状態では、リング状となり、頭部３００１ａを把持可能となっている。アーム２１、２２は、閉じた状態においては、係止ロック２５によってロックできるようになっている。
【００２２】
下部がいし把持具３は、図１に示すように、上部がいし把持具２と同様に構成されており、がいしの他端部、この実施の形態においては下部がいし３００２の頭部３００２ａを把持するものである。この下部がいし把持具３は、アーム３１、３２を開いた状態では、頭部３００２ａの外径よりも大きく開口して、頭部３００２ａが出し入れ自在となり、アーム３１、３２を閉じた状態では、リング状となり、頭部３００２ａを把持可能となっている。
【００２３】
上部がいし把持具２と下部がいし把持具３とによって、がいし連３００の前後が把持されるようになっている。
【００２４】
第１のターンバックル４は、がいし連３００と並行に延びて上部がいし把持具２のアーム２２の一端側と下部がいし把持具３のアーム３２の一端側とを連結し、がいし連３００の連結方向（軸方向）に変位可能なものである。
【００２５】
第２のターンバックル５は、第１のターンバックル４と同様に構成されており、がいし連３００を対称軸として、第１のターンバックル４と略線対称に配設され、上部がいし把持具２のアーム２２の他端側と下部がいし把持具３のアーム３２の他端側とを連結し、がいし連３００の連結方向（軸方向）に変位可能なものである。
【００２６】
このターンバックル４、５を伸縮させることにより、上部がいし把持具２と下部がいし把持具３の距離が伸縮し、がいし連３００に作用する張力を調節可能になっている。
【００２７】
駆動手段６は、ターンバックル４、５を同時に同方向（がいし連３００の軸方向）に同量の変位をさせるものであり、図２に示すように、主として、第１のウォームホイール６１と、第１の円筒ウォームギア６２と、第２のウォームホイール６３と、第２の円筒ウォームギア６４と、フレキシブルロッド６５とを備えている。
【００２８】
第１のウォームホイール６１は、図１に示すように、第１のターンバックル４と係合した状態で、第１のターンバックル４の略中央部に回転自在に配設されており、第１のターンバックル４および第１の円筒ウォームギア６２と噛み合って回転するようになっている。第１のウォームホイール６１が回転すると、第１のターンバックル４が回転して、伸縮するようになっている。第１のウォームホイール６１は、インパクトレンチなどによって回転させることができるようになっている。
【００２９】
第１の円筒ウォームギア６２は、図３に示すように、第１のウォームホイール６１と噛み合うように形成された筒状部材で構成されており、第１のウォームホイール６１の回転にともなって回転するようになっている。具体的には、図２に示すように、第１のウォームホイール６１の歯形６１Ａと第１の円筒ウォームギア６２の歯形６２Ａが噛み合うようになっている。また、第１の円筒ウォームギア６２は、フレキシブルロッド６５と係合可能な筒状に形成されており、フレキシブルロッド６５の一端側が噛み合った状態で挿通されている。第１の円筒ウォームギア６２の内周６２Ｂは、この実施の形態においては、フレキシブルロッド６５の断面形状の六角形よりもわずかに大の六角形状に形成されている。
【００３０】
第２のウォームホイール６３は、第１のウォームホイール６１と同様に構成されており、第２のウォームホイール６３が回転すると、第２のターンバックル５が回転して、伸縮するようになっている。
【００３１】
第２の円筒ウォームギア６４は、第１の円筒ウォームギア６２と同様に構成されており、第２のウォームホイール６３の回転にともなって回転するようになっており、フレキシブルロッド６５の他端側が噛み合った状態で挿通されている。
【００３２】
フレキシブルロッド６５は、断面形状が六角形に形成された可橈性を有する部材で構成されており、第１のウォームホイール６１、第２のウォームホイール６３の回転を相互に伝えるようになっている。すなわち、第１のウォームホイール６１および第２のウォームホイール６３のいずれか一方に外力が加えられて回転する場合は、フレキシブルロッド６５を介して他方も回転するようになっている。このフレキシブルロッド６５の一端側は第１の円筒ウォームギア６２と係合し、他端側は第２の円筒ウォームギア６４と係合している。これにより、例えば、図２に示すように、第１のウォームホイール６１が矢印Ａ方向に回転する場合は、第２のウォームホイール６３が矢印Ｂ方向に回転するようになっている。具体的には、第１のウォームホイール６１が矢印Ａ方向（平面視で反時計回り）に回転すると第１の円筒ウォームギア６２が回転して、フレキシブルロッド６５が回転することにより、第２の円筒ウォームギア６４が第１の円筒ウォームギア６２と逆方向の矢印Ｂ方向（平面視で時計回り）に回転して、第２のウォームホイール６３が矢印Ｂ方向に回転する。このとき、第１のウォームホイール６１と第２のウォームホイール６３は、同様に回転するため、第１のターンバックル４と第２のターンバックル５は同時に同方向に同量の変位をするようになっている。また、フレキシブルロッド６５は、外部に露出している部分がパイプ状のカバーで覆われている。
【００３３】
次に、このような構成のがいし連把持具１を使用したがいし連３００の取り替え方法について説明する。ここでは、がいし連３００に電気的、機械的な不具合が発見されて取り替える場合について説明する。
【００３４】
まず、取り替えるがいし連３００の上部と下部、すなわち、がいし３００１の頭部３００１ａと、がいし３００２の頭部３００２ａとの距離に合わせて、がいし連把持具１の上部がいし把持具２と下部がいし把持具３との距離が調節される。具体的には、第１のウォームホイール６１を回転させることによって、ターンバックル４、５を伸縮させて、上部がいし把持具２と下部がいし把持具３との距離が調節される。
【００３５】
そして、図１に示すように、所定の長さに調節された上部がいし把持具２と下部がいし把持具３とによって、頭部３００１ａと頭部３００２ａがそれぞれ狭持される。具体的には、上部がいし把持具２のアーム２１、２２が開かれて、頭部３００１ａを開口内に位置させた状態にして、アーム２１、２２が閉じられて係止ロック２５によってロックされる。また、下部がいし把持具３も同様に、アーム３１、３２が開かれて、頭部３００２ａを開口内に位置させた状態にして、アーム３１、３２が閉じられて係止ロック３５によってロックされる。このとき、がいし連３００に張力が作用した状態となっている。
【００３６】
そして、がいし連３００の上部と下部、すなわち、がいし３００１の頭部３００１ａと、がいし３００２の頭部３００２ａとの距離が収縮するように、第１のウォームホイール６１を矢印Ａ方向に回転させることによって、ターンバックル４、５が収縮されて、上部がいし把持具２と下部がいし把持具３との距離が収縮される。このとき、上部がいし把持具２と下部がいし把持具３との距離が収縮されると、がいし連３００に張力が作用しなくなる。
【００３７】
そして、上部がいし把持具２と下部がいし把持具３との距離がわずかに収縮されて、弛められたがいし連３００が取り外される。
【００３８】
つぎに、新しいがいし連３００を取り付けた後も同様に、がいし連３００の上部と下部、すなわち、がいし３００１の頭部３００１ａと、がいし３００２の頭部３００２ａとの距離が所定の長さとなるように、第１のウォームホイール６１が回転される。これにより、ターンバックル４、５が伸ばされて、上部がいし把持具２と下部がいし把持具３との距離が広げられる。このとき、がいし連３００に張力が作用した状態となっている。
【００３９】
以上のように、このがいし連把持具１によれば、駆動手段６によって第１のターンバックル４と第２のターンバックル５とを同時に同方向に同量の変位をさせるだけで、容易にがいし連３００に作用する張力を弛めることができる。すなわち、がいし連３００の取り替え作業に要する手間と時間とを削減することができる。つまり、例えば、第１のターンバックル４と第２のターンバックル５とをそれぞれ変位させて、変位量を調節する必要がなくなり、誰でも容易かつ適切にがいし連３００の取り替え作業を行うことが可能になる。
【００４０】
また、第１のウォームホイール６１または第２のウォームホイール６２のいずれかを回転させるだけで、ターンバックル４、５の長さを２本均等に伸縮できる。すなわち、上部がいし把持具２と下部がいし把持具３との距離が均等になるため、がいし連３００に作用する張力が左右均等になるので、がいし連３００がねじれたり回転したりすることを抑制できる。また、がいし連３００がねじれたり回転したりするのを防ぐので、取替作業が容易になる。さらにまた、ターンバックル４、５の長さが２本均等になるので、がいし連３００に張力をかけた状態と、がいし連３００が弛んで外せる状態の確認が容易になる。このように、がいし連３００の取り替え作業が著しく容易になる。
【００４１】
さらに、第１のウォームホイール６１または第２のウォームホイール６２のいずれかを回転させるだけで、２つのターンバックル４、５を伸縮させることができるので、片側での操作でよいため、無理な姿勢での作業を減らすことができる。このため、高所作業における安全上の不安を軽減し、作業能率を向上させることが可能である。
【００４２】
また、第１の変位手段および第２の変位手段として、第１のターンバックル４と第２のターンバックル５とで構成されているので、がいし連把持具１は簡易な構成となるため、コストを低減できるとともに、取扱いが容易となる。
【００４３】
さらに、がいし３００１の頭部３００１ａを上部がいし把持具２のアーム２１、２２によって狭持し、がいし３００２の頭部３００２ａを下部がいし把持具３のアーム３１、３２によって狭持するだけで、がいし連把持具１をがいし連３００に取り付けることができるので、がいし連３００への取り付けが容易である。同様に、がいし連３００からの取り外しも容易であるので、取替作業に要する手間と時間とを削減できる。
【００４４】
さらにまた、第１のウォームホイール６１または第２のウォームホイール６２は、インパクトレンチなどによって回転させることにより、取替作業の労力軽減が図れる。
【００４５】
（実施の形態２）
図４は、この実施の形態に係るがいし連把持具１００を示す正面図である。この実施の形態では、第１の変位手段は、ターンバックル４で構成され、第２の変位手段は、ターンバックル４の変位に伴って変位する伸縮部７によって構成され、駆動手段として、ターンバックル４を伸縮させるためのレンチ２２０が配設されている点で、実施の形態１と異なる。なお、実施の形態１と同等の構成については、同一または対応する符号を付することで、その説明を省略する。
【００４６】
伸縮部７は、主として、筒状の大径軸７１と、小径軸７２とを備えている。大径軸７１の基端部側は、上部がいし把持具２のアーム２２の他端側から下方、すなわち、下部がいし把持具３方向に延びるように配設されている。大径軸７１は、バネ（図示略）が内蔵されており、伸縮部７が所定の距離となり、がいし連３００に所定の張力が作用するように付勢されている。小径軸７２の基端部側は、下部がいし把持具３のアーム３２の他端側から上方、すなわち、上部がいし把持具２方向に延びるように配設されている。小径軸７２の自由端部側は、大径軸７１の中空部に進退自在となっている。この伸縮部７は、ターンバックル４を伸縮させた際に、同方向に同量だけ変位するようになっている。
【００４７】
駆動手段としてのレンチ２２０が、ターンバックル４を伸縮させるために配設されている。レンチ２２０によってターンバックル４を伸縮させることにより、伸縮部７がともに伸縮するようになっている。具体的には、ターンバックル４が収縮した場合は、大径軸７１に小径軸７２が進入して伸縮部７が収縮し、ターンバックル４が伸長した場合は、大径軸７１から小径軸７２が後退して伸縮部７が伸長する。
【００４８】
このように、この実施の形態によれば、第１の変位手段は、ターンバックル４で構成され、伸縮部７は、ターンバックル４の変位に伴って変位するので、レンチ２２０によってターンバックル４を変位させるだけで、伸縮部７を変位させることができる。このように、がいし連把持具１００はより簡易な構成となるので、コストを低減できるとともに、取扱いが容易となる。
【００４９】
以上、この発明の実施の形態について説明したが、具体的な構成は、これらの実施の形態に限られるものではなく、この発明の要旨を逸脱しない範囲の設計の変更等があっても、この発明に含まれる。例えば、実施の形態１においては、第１のウォームホイール６１を回転させた場合について説明したが、第２のウォームホイール６３を回転させた場合も同様である。このように、がいし連３００の配設状態や作業場所にあわせて、第１のウォームホイール６１または第２のウォームホイール６２のうち、操作が容易な方を回転させればよい。
【符号の説明】
【００５０】
１              がいし連把持具
２              上部がいし把持具（第１の把持手段）
３              下部がいし把持具（第２の把持手段）
４              第１のターンバックル（第１の変位手段）
５              第２のターンバックル（第２の変位手段）
６              駆動手段
６１            第１のウォームホイール
６２            第１の円筒ウォームギア
６３            第２のウォームホイール
６４            第２の円筒ウォームギア
６５            フレキシブルロッド
３００          がいし連
３００１        がいし（鉄塔側）
３００２        がいし（電線側）
【図１】
2014093873.tif 000003
【図２】
2014093873.tif 000004
【図３】
2014093873.tif 000005
【図４】
2014093873.tif 000006
【図５】
2014093873.tif 000007
【図６】
2014093873.tif 000008